(57)【要約】【目的】基本動画に同期して補足情報が表示される情報表示システムの提供である。【構成】コンピュータに基本動画音声情報を表示させ、基本動画音声情報の予め定められた動作に同期して、前記基本動画音声情報が表示されている表示画面の他の領域に、動画、静止画像、及び／または、音声情報よりなる補足情報の少なくとも１を選択的に表示させるプログラムであり、また、所望により、これに加えて、基本動画音声情報の予め定められた動作に同期して、プログラムと基本動画音声情報及び／または補足情報の表示を視聴している視聴者または操作者との間に、質問応答形式のインターアクティブ情報交換をユビキタスに許すことができ、さらに、所望により、補足情報が表示されている期間及び／またはインターアクティブ情報交換が実行されている期間、基本動画音声情報及び／または補足情報の進行を一時停止して後刻再表示し、または、逆進して後刻再表示するすることができるプログラムを記録したコンピュータ読み取り可能な記録媒体である。【選択図】　　　　図１
2004086389.tif 000002
【特許請求の範囲】
【請求項１】
コンピュータに基本動画音声情報を表示させ、
該基本動画音声情報の予め定められた動作に同期して、前記基本動画音声情報が表示されている表示画面の近傍の領域の表示画面に、動画情報、動画文字情報、静止画像情報、静止文字情報、及び／または、音声情報よりなる補足情報の少なくとも一つを選択的に表示提供させる
プログラムを記録したコンピュータ読み取り可能な記録媒体。
【請求項２】
前記基本動画音声情報及び／または前記補足情報の表示提供を受けている視聴者に向かって、前記基本動画音声情報及び／または前記補足情報に関して、さらに詳細な質問を希望するか否かを尋ねる質問を発し、前記視聴者が質問を希望すると答えたときは、前記表示画面の近傍の領域の表示画面に質問一覧表を表示提供して、前記視聴者に希望する質問を選択させ、該希望された質問に対する回答を、動画情報・動画文字情報・静止画像情報・静止文字情報・音声情報の少なくとも一つをもって、前記表示画面の近傍の領域の表示画面に表示提供させ、前記プログラムと前記視聴者との間に、質問応答形式のインターアクティブ情報をユビキタスに表示提供し、
該インターアクティブ情報が表示提供されるとき、前記基本動画音声情報及び／または前記補足情報の現に表示提供されている前記インターアクティブ情報に関連する部分の表示提供を一時停止し、前記インターアクティブ情報の表示提供が終了した後、前記一時停止されていた前記基本動画音声情報及び／または前記補足情報の表示提供を再表示提供する
プログラムを記録した請求項１記載のコンピュータ読み取り可能な記録媒体。
【請求項３】
前記基本動画音声情報及び／または前記補足情報の表示提供を受けている視聴者に向かって、前記基本動画音声情報及び／または前記補足情報に関して、さらに詳細な質問を希望するか否かを尋ねる質問を発し、前記視聴者が質問を希望すると答えたときは、前記表示画面の近傍の領域の表示画面に質問一覧表を表示提供して、前記視聴者に希望する質問を選択させ、該希望された質問に対する回答を、動画情報・動画文字情報・静止画像情報・静止文字情報・音声情報の少なくとも一つをもって、前記表示画面の近傍の領域の表示画面に表示提供させ、前記プログラムと前記視聴者との間に、質問応答形式のインターアクティブ情報をユビキタスに表示提供し、
該インターアクティブ情報が表示提供されるとき、前記基本動画音声情報及び／または前記補足情報の現に表示提供されている前記インターアクティブ情報に関連する部分の表示提供を逆進させ、前記インターアクティブ情報の表示提供が終了した後、前記逆進された前記基本動画音声情報及び／または前記補足情報の逆進された部分の表示提供を再表示提供する
プログラムを記録した請求項１記載のコンピュータ読み取り可能な記録媒体。
【請求項４】
コンピュータに移動体から撮影した風景を表示する基本動画音声情報を第１表示画面に表示させ、
前記基本動画音声情報の予め定められた動作に同期して、
前記基本動画音声情報が表示されている前記第１表示画面の近傍に設けられる第２表示画面（前記第１表示画面を分割して形成する縮小表示画面を含む。）に、前記移動体のアイコンがその上を移動する前記移動体の移動経路のルートマップを表示させ、
前記第２表示画面の近傍に設けられる第３表示画面（前記第１表示画面を分割して形成する縮小表示画面を含む。）に、前記移動体の移動対時刻を表示する表・前記移動体が移動する地域近傍の名所・前記移動体が移動する地域近傍で生産・販売される名物・前記移動体が移動する地域近傍にある温泉・前記移動体が移動する地域近傍において提供される駅弁・お土産・その他の産物等を表す補足情報を静止画像情報または動画情報をもって逐次表示させ、
前記第３表示画面の近傍に設けられる第４表示画面（前記第１表示画面を分割して形成する縮小表示画面を含む。）に、前記名所・名物・温泉・駅弁・その他の産物等に関連する詳細説明情報を、静止文字情報・動画文字情報・音声情報の少なくとも１をもって表示提供させる
プログラムを記録したコンピュータ読み取り可能な記録媒体。
【請求項５】
前記プログラムを、インターネット網、ブロードバンドインターネット網、イントラネット網、または、ブロードバンドイントラネット網を介して動作させる
プログラムを記録した請求項１、２、３、または、４記載のコンピュータ読み取り可能な記録媒体。
【発明の詳細な説明】
【０００１】
【発明が属する技術分野】
本発明は、コンピュータに基本動画音声情報を表示させ、この基本動画音声情報の予め定められた動作すなわち動作時点に同期して、基本動画音声情報が表示されている表示画面の近傍の表示画面に、または、それまで基本動画音声情報が表示されていた表示画面の１部を減縮して作り出される表示画面に、動画情報、動画文字情報、静止画像情報、静止文字情報、及び／または、音声情報よりなる補足情報から選択される１または複数の情報を選択的に表示させて、基本動画音声情報の理解拡大等を補助する機能を実現するプログラムを記録したコンピュータ読み取り可能な記録媒体に関する。
【０００２】
【従来の技術】
交通運輸企業例えば鉄道会社・航空会社・海運会社・バス会社や、観光業者・旅行業者や、情報展示業者例えば図書館・博物館・動物園・水族館や、不動産会社や、病院・保養所・老人ホーム等の施設や、さらには、教育機関例えば大学等では、それらが提供するサービス等に関連するめぼしい近隣の風景・風物・産物・施設・設備等を補足説明し紹介宣伝するための動画情報、動画文字情報、静止画像情報、静止文字情報、及び／または、音声情報等よりなる補足情報を選択的に表示提供し、代表的展示品等を選択的に表示提供し、または、教授内容そのものを補足説明する情報を表示提供しながら授講することができるようにすると言う傾向があることは周知である。
【０００３】
このような動画音声情報は、磁気ディスク・ＣＤＲＯＭ等の情報記録媒体を使用して運搬することにより、遠隔地においても、展示・閲覧または授講することができることは周知であるが、その場合も、特定の展示場・教場等で展示・閲覧または授講することができるに止まるという不便があったが、インターネット網等をはじめ、高速・大容量情報伝達手段の発達とゝもに、もし、要望があれば、広い地域において、しかも、即時的にユビキタスに、さらには、インターアクティブに、展示・閲覧または授講することを可能にする要望が発生し、また、そのようなサービス等を可能にするインフラストラクチュアも整備されつゝある。
【０００４】
【発明が解決しようとする課題】
しかも、上記の紹介宣伝用動画音声情報や代表的展示品の選択的閲覧補足説明においては、その動画音声情報の特定の動作時点、例えば、所謂「見せ場」・「ポイント」等に対応する動作時点において、その対象物の拡大静止画像・補足詳細説明の動画情報・動画文字情報または静止画像情報・静止文字情報等を提供することができれば、紹介宣伝効果や詳細説明効果や教授効果等が増大することは明らかである。
【０００５】
また、特に、博物館の紹介や大学の講義等学術的内容の動画においては、その動画の特定の動作時点、例えば、特別の学術的意義のある場面とか、理解が容易でない部分の説明等においては、受講者（プログラムの操作者を含む。）と実在的及び／または仮想的授講者（プログラムの製作者を含む。）との間に、対話形式・質問／応答方式のインターアクティブ情報交換がユビキタスに可能であれば、教授効果や詳細説明効果が増大することは明らかである。
【０００６】
本発明の第１の目的は、これらの要請に応えることにあり、基本動画音声情報の予め定められた時点（動作）に同期して、基本動画音声情報が表示されている表示画面の近傍の領域の表示画面に、動画情報、動画文字情報、静止画像情報、静止文字情報、または、音声情報よりなる補足情報の一つまたは複数を選択的にユビキタスに表示提供させるプログラムを提供することにある。
【０００７】
また、本発明の第２・第３の目的は、前記の基本動画音声情報の予め定められた時点（動作）に同期して、プログラムと基本動画音声情報または補足情報の一つまたは複数を表示提供されている視聴者（プログラムの操作者を含む。）との間に、質問応答形式のインターアクティブ情報をユビキタスに許すプログラムを提供し、しかも、この質問応答形式のインターアクティブ情報交換が現にユビキタスになされるときは、現に表示提供されている基本動画音声情報及び／または補足情報の一つまたは複数（現にインターアクティブに表示提供されている情報に関連する部分）の進行を停止し、または、逆進再表示するプログラムを提供することにある。
【０００８】
さらに、本発明の第４の目的は、前記の基本動画音声情報を、交通運輸機関等の移動体から撮影した風景等やその交通運輸機関等が通過する地方の代表的風物等とし、前記の補足情報を、移動体の移動経路のルートマップや、移動体の移動対時刻を表示する表すなわち時刻表や移動体が移動する地域近傍の名所・名物・温泉・駅弁・産物等とした実施の態様よりなるプログラムを提供することにある。
【０００９】
また、本発明の第５の目的は、前記のプログラムを、インターネット網、ブロードバンドインターネット網、イントラネット網、または、ブロードバンドイントラネット網を介して動作させることゝしたプログラムを提供することにある。
【００１０】
【課題を解決するための手段】
上記目的の内の第１の目的を達成する手段は、コンピュータに基本動画音声情報を表示させ、この基本動画音声情報の予め定められた動作に同期して、前記の基本動画音声情報が表示されている表示画面の近傍の領域の表示画面に、動画情報、動画文字情報、静止画像情報、静止文字情報、音声情報の一つまたは複数よりなる補足情報を選択的に表示提供させるプログラムを記録したコンピュータ読み取り可能な記録媒体である。
【００１１】
上記目的の内の第２の目的を達成する手段は、前記の第１の手段において、基本動画音声情報及び／または補足情報の表示提供を受けている視聴者に向かって、基本動画音声情報及び／または補足情報に関して、さらに詳細な質問を希望するか否かを尋ねる質問を発し、視聴者が質問を希望すると答えたときは、前記の表示画面の近傍の領域の表示画面に質問一覧表を表示提供して、視聴者に希望する質問を選択させ、希望された質問に対する回答を、動画情報・動画文字情報・静止画像情報・静止文字情報・音声情報の少なくとも一つをもって、前記の表示画面の近傍の領域の表示画面に表示提供させ、前記のプログラムと前記の視聴者との間に、質問応答形式のインターアクティブ情報をユビキタスに表示提供し、このインターアクティブ情報が表示提供されるとき、基本動画音声情報及び／または補足情報の現に表示提供されているインターアクティブ情報に関連する部分の表示提供を一時停止し、インターアクティブ情報の表示提供が終了した後、基本動画音声情報及び／または補足情報の一時停止されていた部分の表示提供を再表示提供する機能を有するプログラムを記録したコンピュータ読み取り可能な記録媒体である。なお、質問の回答ばかりでなく質問を発することも音声情報をもってすることもできる。
【００１２】
上記目的の内の第３の目的を達成する手段は、前記の第１の手段において、基本動画音声情報及び／または補足情報の表示提供を受けている視聴者に向かって、基本動画音声情報及び／または補足情報に関して、さらに詳細な質問を希望するか否かを尋ねる質問を発し、視聴者が質問を希望すると答えたときは、前記の表示画面の近傍の領域の表示画面に質問一覧表を表示提供して、視聴者に希望する質問を選択させ、希望された質問に対する回答を、動画情報・動画文字情報・静止画像情報・静止文字情報・音声情報の少なくとも一つをもって、前記の表示画面の近傍の領域の表示画面に表示提供させ、前記のプログラムと前記の視聴者との間に、質問応答形式のインターアクティブ情報をユビキタスに表示提供し、このインターアクティブ情報が表示提供されるとき、基本動画音声情報及び／または補足情報の現に表示提供されているインターアクティブ情報に関連する部分の表示提供を逆進させ、インターアクティブ情報の表示提供が終了した後、基本動画音声情報及び／または補足情報の逆進された部分の表示提供を再表示提供する機能を有するプログラムを記録したコンピュータ読み取り可能な記録媒体である。なお、質問の回答ばかりでなく質問を発することも音声情報をもってすることもできる。
【００１３】
上記目的の内の第４の目的を達成する手段は、コンピュータに、列車・航空機・船舶・バス等の移動体から撮影した風景等やその移動体が通過する地方の代表的風物等を表示する基本動画音声情報を第１表示画面に表示させ、この基本動画音声情報の予め定められた動作に同期して、基本動画音声情報が表示されている第１表示画面の近傍に設けられる第２表示画面（第１表示画面を分割して形成する縮小表示画面を含む。）に、前記の移動体のアイコンがその上を移動する前記移動体の移動経路のルートマップを表示させ、前記の第２表示画面の近傍に設けられる第３表示画面（第１表示画面を分割して形成する縮小表示画面を含む。）に、前記の移動体の移動対時刻表・前記の移動体が移動する地域近傍の名所・前記の移動体が移動する地域近傍で生産・販売される名物・前記の移動体が移動する地域近傍にある温泉・前記の移動体が移動する地域近傍において提供される駅弁・お土産・その他の産物等を表す補足情報を、静止画像情報または動画情報をもって逐次表示させ、前記の第３表示画面の近傍に設けられる第４表示画面（第１表示画面を分割して形成する縮小表示画面を含む。）に、前記の名所・名物・温泉・駅弁・その他の産物等に関連する詳細説明情報を、静止文字情報・動画文字情報・音声情報の一つまたは複数をもって表示提供させる機能を有するプログラムを記録したコンピュータ読み取り可能な記録媒体である。なお、図５に示すように、表示画面に選択ボタンを設けておくことは現実的に好都合である。
【００１４】
上記目的の内の第５の目的を達成する手段は、前記各種のプログラムを、インターネット網、ブロードバンドインターネット網、イントラネット網、または、ブロードバンドイントラネット網を介して動作させる機能を有するプログラムを記録したコンピュータ読み取り可能な記録媒体である。
【００１５】
【作用】
従来技術においては、情報伝送速度が必ずしも速くなかったゝめ、例えば、マイクロソフト社の「ワード」（マイクロソフト社の商品名）における「ヘルプ」等のように、基本情報が表示されている表示手段（表示画面）の一部領域に、静止画像特に文字情報よりなる補助情報を割り込ませるという技術思想は知られていたが、従来技術においては、情報伝送速度が必ずしも速くなかったゝめ、一つまたは複数の動画音声情報を基本情報として表示させながら、その基本動画音声情報に同期して、選択可能の一つまたは複数の補足情報群から選択された補足情報（動画情報、動画文字情報、静止画像情報、静止文字情報、または、音声情報から選択される一つまたは複数の補足情報）や基本動画音声情報及び／または前記の補足情報の表示提供を受けている視聴者とプログラムとの間に、動画情報・動画文字情報・静止画像情報・静止文字情報・音声情報よりなる質問応答形式のインターアクティブ情報を、基本動画音声情報と並進して、または、基本動画音声情報を一時停止させ、または、一旦、基本動画音声情報を逆進させ、補助情報の表示提供が終了した後、再進行させるようにして、基本動画情報が表示される表示手段（表示画面）に隣接する表示画面に、または、基本動画情報が表示される表示手段（表示画面）を縮小して用意される表示手段（表示画面）に、表示させるという技術思想が発想される可能性はなかった。さらに、次の段落において下記するような対話形式のインターアクティブな質問形式の情報提供の可能性もなかった。
【００１６】
また、大学等における遠隔講義等の場合は、対話形式のインターアクティブな質問形式の情報提供を可能にすることが特に顕著な効果を有することは十分予想されたことではあったが、従来技術においては、情報伝送速度が必ずしも速くなかったゝめ、または、授業時間が限られている等の制約もあるため、この対話形式の質問・応答形式のインターアクティブな情報提供をユビキタスに実現するという技術思想も発想される可能性は少なかった。しかし、本願発明においては、幾つかの実施例に就いて実際に実験してみたところ、時間（講義時間）の制約にもとづく不都合を除き、補助的詳細情報の追加的供給は極めてスムーズに可能であり、特に対話形式のインターアクティブな質問形式の有効性は十分実証され、上記の要請に類する動作がスムーズに実現することを確認することができた。
【００１７】
【発明の実施の形態】
以下、図面を参照して、本発明の４個の実施の形態に係る基本動画音声情報に同期して補足情報を表示提供するプログラムに就いて説明する。
【００１８】
準備工程
第４のプログラム（列車・航空機・船舶・バス等の移動体の移動に伴う風景・名所・名物等の説明を目的とするプログラム）を除き、他の四つのいずれの実施の形態においても、これらのプログラムには、一つまたは複数の基本となる動画音声情報と一つまたは複数の動画情報、静止画像情報、静止文字情報、音声情報等よりなる補足情報と、実施の形態によっては一つまたは複数の動画情報、静止画像情報、静止文字情報、音声情報等よりなる対話形式の補足情報（答えが用意されている質問の複数とそれぞれの質問に対して用意されている回答）すなわちコンテンツをインストールすることが必要である。唯、このコンテンツは、最終需要家によって決定される性質のものであるから、販売時の記録媒体には、コンテンツはインストールされていない場合が一般である。
換言すれば、このプログラムが記録されている記録媒体を購入した最終需要家は、本願発明に係るプログラムの具体的目的を決定した後、その目的に対応して、上記のコンテンツを作成して、そのコンテンツをこのプログラムにインストールすることが必要である場合が一般である。唯、このコンテンツをインストールする方法は、公知の方法であり、また、極めて容易である。
ところで、いずれの情報も、基本動画音声情報、または、他の補足情報に同期して、さらに他の情報が表示され、または、動作することが本願発明の基本動作であるから、相互に関連する符号・記号・番号等を付しておいて、相互にリンクして呼び出しうるようにされている必要がある。また、音声情報を使用して、情報の選択・指令をなすようにしておくことも勿論可能である。
【００１９】
第１の実施の形態（請求項１に対応）
図１参照
第１工程
基本となる動画音声情報が複数あるときは、表示するべき基本となる動画音声情報を選択する。そして、その基本となる動画音声情報を表示するべき表示画面の区画領域を選択する。そして、その基本となる動画音声情報を、表示画面の選択された区画領域に連続的に表示させる。この予め選択された区画領域としては、表示画面の全領域を選択しても一部領域を選択してもよい。換言すれば、第１景としては、全表示画面に表題と代表的風物・主題等を表示することになろう。そして、次に、基本動画音声情報の流れに同期して、表示画面を複数表示画面に分割して形成した各領域に、逐次、補助情報を表示することになろう。
第２工程
基本となる動画音声情報に順次付されており、表示提供されるべき補足情報（基本となる動画音声情報の現に表示されている情報に関連し、これを、さらに詳細に説明する動画情報、動画文字情報、静止画像情報、静止文字情報、音声情報の一つまたは複数よりなる）とその補足情報が表示提供されるべき区画領域とを表している符号・記号・番号等を読み出し、その符号・記号・番号等にもとづいて、その時点（動作時点）において、表示提供されるべき補足情報とその補足情報が表示提供されるべき区画領域とを、順次決定する。なお、表示提供されるべき補足情報とその補足情報が表示提供されるべき区画領域とは、上記の符号・記号・番号等に応答して、予め定められている動画情報、動画文字情報、静止画像情報、静止文字情報、音声情報よりなる補足情報群から、一つまたは複数個が選択される。また、基本となる動画音声情報に順次付されている上記の符号・記号・番号等に代えて、音声指令情報を使用することも可能である。
第３工程
前工程において決定された補足情報を、前工程において決定された表示領域に順次表示提供する。
第４工程
このようにして、基本となる動画音声情報に付されている符号・記号・番号等または音声指令情報がなくなるまで、上記の補足情報表示提供動作を順次実行する。そして、基本となる動画音声情報に付されている符号・記号・番号等または音声指令情報がなくなったら、プログラムを終了する。
附加工程
視聴者が、表示中の補足情報が不必要と判断したときは、フローチャートに記載されていないが、その補足情報の表示提供を中止することもできる。
【００２０】
第２の実施の形態（請求項２に対応）
図２―１・図２―２参照
第１工程
基本となる動画音声情報が複数あるときは、表示するべき基本となる動画音声情報を選択する。そして、その基本となる動画音声情報を表示するべき表示画面の区画領域を選択する。そして、その基本となる動画音声情報を、表示画面の選択された区画領域に連続的に表示させる。この予め選択された区画領域としては、表示画面の全領域を選択しても一部領域を選択してもよい。要するに、第１の実施の形態の第１工程と概ね同様である。
第２工程
基本となる動画音声情報に順次付されており、表示提供されるべき補足情報とその補足情報が表示提供されるべき区画領域とを表している符号・記号・番号等を読み出し、その符号・記号・番号等にもとづいて、その時点（動作時点）において、表示提供されるべき補足情報とその補足情報が表示提供されるべき区画領域とを、順次決定する。なお、表示提供されるべき補足情報とその補足情報が表示提供されるべき区画領域とは、上記の符号・記号・番号等に応答して、予め定められている動画情報、動画文字情報、静止画像情報、静止文字情報、音声情報よりなる補足情報群から、一つまたは複数個が選択される。また、基本となる動画音声情報に順次付されている上記の符号・記号・番号等に代えて、音声指令情報を使用することも可能である。この工程も、第１の実施の形態の第２工程と概ね同様である。
第３工程
前工程において決定された補足情報を、前工程において決定された表示領域に順次表示提供する。
第４工程
基本動画音声情報及び／または補足情報の表示提供を受けている視聴者に向かって、基本動画音声情報及び／または補足情報に関して、さらに詳細な質問を希望するか否かを尋ねる質問を表示または音声をもって発する。
第５工程
視聴者が質問を希望すると答えたときは、基本となる動画音声情報または補足情報が表示されている表示画面の近傍の領域に質問一覧表を表示提供して、視聴者に希望する質問を選択させる。
第６工程
希望された質問に対する回答（質問一覧表に対応して、予め用意されている。）を、動画情報・動画文字情報・静止画像情報・静止文字情報・音声情報をもって、基本となる動画音声情報または補足情報が表示されている表示画面の近傍の領域の表示画面に表示提供させる。
第７工程
その結果、前記のプログラムと視聴者との間に、質問応答形式のインターアクティブ情報交換がユビキタスに実現する。
第８工程
このインターアクティブ情報が表示提供されるとき、基本動画音声情報及び／または補足情報が独自に進行することは不都合な場合が多いので、そのとき、現に表示提供されている基本動画音声情報及び／または補足情報の表示提供を一時停止し、インターアクティブ情報の表示提供が終了した後、基本動画音声情報及び／または補足情報の表示提供を再表示提供することが現実的である。
第９工程
このようにして、基本となる動画音声情報に付されている符号・記号・番号等または音声指令情報がなくなるまで、上記の補足情報表示提供動作を順次実行する。そして、基本となる動画音声情報に付されている符号・記号・番号等または音声指令情報がなくなったら、プログラムを終了する。
附加工程
視聴者が、表示中の補足情報が不必要と判断したとき、または、質問応答形式のインターアクティブ情報交換が求めるものと相違して不必要と判断したときは、その補足情報の表示提供、または、質問応答形式のインターアクティブ情報交換を中止することもできる。
【００２１】
第３の実施の形態（請求項３に対応）
図３―１・図３―２参照
第１工程
基本となる動画音声情報が複数あるときは、表示するべき基本となる動画音声情報を選択する。そして、その基本となる動画音声情報を表示するべき表示画面の区画領域を選択する。そして、その基本となる動画音声情報を、表示画面の選択された区画領域に連続的に表示させる。この予め選択された区画領域としては、表示画面の全領域を選択しても一部領域を選択してもよい。要するに、第１の実施の形態の第１工程と概ね同様である。
第２工程
基本となる動画音声情報に順次付されており、表示提供されるべき補足情報とその補足情報が表示提供されるべき区画領域とを表している符号・記号・番号等を読み出し、その符号・記号・番号等にもとづいて、その時点（動作時点）において、表示提供されるべき補足情報とその補足情報が表示提供されるべき区画領域とを、順次決定する。なお、表示提供されるべき補足情報とその補足情報が表示提供されるべき区画領域とは、上記の符号・記号・番号等に応答して、予め定められている動画情報、動画文字情報、静止画像情報、静止文字情報、音声情報よりなる補足情報群から、一つまたは複数個が選択される。また、基本となる動画音声情報に順次付されている上記の符号・記号・番号等に代えて、音声指令情報を使用することも可能である。この工程も、第１の実施の形態の第２工程と概ね同様である。
第３工程
前工程において決定された補足情報を、前工程において決定された表示領域に順次表示提供する。
第４工程
基本動画音声情報及び／または補足情報の表示提供を受けている視聴者に向かって、基本動画音声情報及び／または補足情報に関して、さらに詳細な質問を希望するか否かを尋ねる質問を表示または音声をもって発する。
第５工程
視聴者が質問を希望すると答えたときは、基本となる動画音声情報または補足情報が表示されている表示画面の近傍の領域に質問一覧表を表示提供して、視聴者に希望する質問を選択させる。
第６工程
希望された質問に対する回答（質問一覧表に対応して、予め用意されている。）を、動画情報・動画文字情報・静止画像情報・静止文字情報・音声情報をもって、基本となる動画音声情報または補足情報が表示されている表示画面の近傍の領域の表示画面に表示提供させる。
第７工程
その結果、前記のプログラムと視聴者との間に、質問応答形式のインターアクティブ情報交換がユビキタスに実現する。
第８工程
このインターアクティブ情報が表示提供されるとき、基本動画音声情報及び／または補足情報が独自に進行することは不都合な場合が多いので、基本動画音声情報及び／または補足情報の現に表示提供されている部分の表示提供を逆進させ、インターアクティブ情報の表示提供が終了した後、基本動画音声情報及び／または補足情報の逆進された部分の表示提供を再表示提供することが現実的である。
第９工程
このようにして、基本となる動画音声情報に付されている符号・記号・番号等または音声指令情報がなくなるまで、上記の補足情報表示提供動作を順次実行する。そして、基本となる動画音声情報に付されている符号・記号・番号等または音声指令情報がなくなったら、プログラムを終了する。
附加工程
視聴者が、表示中の補足情報が不必要と判断したとき、または、質問応答形式のインターアクティブ情報交換が求めるものと相違すると判断したときは、その補足情報の表示提供、または、質問応答形式のインターアクティブ情報交換を中断することもできる。
【００２２】
第４の実施の形態（請求項４に対応）
図４参照
１例として、旅客鉄道会社が、四国の桂浜地方の宣伝のために作成した実施の形態に就いて説明する。第１表示画面には、列車の車窓から撮影した沿線の代表的風景を使用することが一般であろうが、図４には、その第１景として、坂本竜馬の銅像を表示してある。続いて、四国鉄道の沿線の風景が流されることになる。
図５参照
図４に示す表示画面を四分割し、その第１表示画面には、図５に示すように、列車の車窓から撮影した沿線の風景例えば高知市近郊を流れる仁淀川の風景等が逐次表示される。その直下の第２表示画面には、その経路の線路図すなわちルートマップが示され、その線路の上を電車のアイコンが移動する。その隣の第３表示画面には、基本動画に同期して、時刻表、沿線の名所（例えば桂浜の風景）、沿線の名物、沿線の温泉、沿線の駅で販売される駅弁等の補足情報が逐次表示される。なお、第３表示画面の下には、名所、名物、温泉、駅弁等の文字表示が出ており、それらのいずれかのボタンを選択することによって、第３表示画面に表示される主題を選択することもできる。
第１表示画面の右すなわち第３表示画面の上には、第４表示画面が設けられており、第３表示画面に表示されている補足情報に係る動画に対応して、文字情報よりなる詳細説明文が表示される。この補足情報に係る動画と文字情報よりなる説明文は、プログラムの進行にしたがって自動的に選択されることも、また、上記の選択ボタンを選択することによって選択することもできる。
このようにして、あたかも、閲覧者自身が旅行しているかの如き印象を与え、旅行に対する興味を多いにそそるという効果があり、宣伝効果が絶大である。
【００２３】
第５の実施の形態
（請求項５に対応）
本願発明に係る記載の基本動画に同期して補足情報が表示される情報表示システムは、　　インターネット網等の公衆通信手段またはイントラネット網またはＬＡＮ等を介して使用すると、その効果は特に顕著である。
【００２４】
【発明の効果】
以上説明したとおり、本発明に係る基本動画に同期して補足情報が表示される情報表示プログラムは、コンピュータに基本動画音声情報を表示させ、基本動画音声情報の予め定められた動作に同期して、前記基本動画音声情報が表示されている表示画面の他の領域（表示画面全体を数分割することが現実的である。）に、動画、静止画像、及び／または、音声情報よりなる補足情報の少なくとも１を選択的に表示させるプログラムであり、また、これに加えて、基本動画音声情報の予め定められた動作に同期して、プログラムと基本動画音声情報及び／または補足情報の表示を視聴している視聴者または操作者との間に、質問応答形式のインターアクティブ情報交換をユビキタスに許すことができ、さらに、補足情報が表示されている期間及び／またはインターアクティブ情報交換が実行されている期間、基本動画音声情報の進行を停止し、または、逆進再表示することができ、その上、インターネット網またはイントラネット網を介して動作させることもできるようにされているので、その利用性は顕著に便利である。その上、インターネット網等公衆通信手段を介して使用することも可能とされており、実用性が極めて高い。
【図面の簡単な説明】
【図１】本発明の第１の実施の形態に係る基本動画に同期して補足情報が表示される情報表示プログラムのフローチャートである。
【図２−１】
【図２−２】本発明の第２の実施の形態に係る基本動画に同期して補足情報が表示される情報表示プログラムのフローチャートである。
【図３−１】
【図３−２】本発明の第３の実施の形態に係る基本動画に同期して補足情報が表示される情報表示プログラムのフローチャートである。
【図４】本発明の第４の実施の形態の表示画面の第１景の１例である。
【図５】本発明の第４の実施の形態の表示画面の第２景以降の１例である。
【図１】
2004086389.tif 000003
【図２−１】
2004086389.tif 000004
【図２−２】
2004086389.tif 000005
【図３−１】
2004086389.tif 000006
【図３−２】
2004086389.tif 000007
【図４】
2004086389.tif 000008
【図５】
2004086389.tif 000009